(57)【要約】【課題】利用料金の確実な徴収と保管管理に要する施設管理者の手間を省き、円滑な施設運用を可能にするシューズロッカー管理システムを提供する。【解決手段】本シューズロッカー管理システムは、施錠装置２ｂを具備するシューズロッカー２が設置された施設において用いられ、利用者に貸与されＩＣチップ３ａが内蔵されたリストバンド３と、シューズロッカー２に組込まれＩＣチップ情報を読取る第１のＩＣチップ情報読取装置４が接続され、施錠装置２ｂを制御するコントローラ２ｃと、退場時にＩＣチップ情報を読取る第２のＩＣチップ情報読取装置５と、この読取装置５からのＩＣチップ情報が入力される情報入力装置９と、この入力装置９からのＩＣチップ情報及びコントローラ２ｃからの利用中のシューズロッカー情報を管理する情報管理装置７を有する。【選択図】  図１
2005155308.tif 000002
【特許請求の範囲】
【請求項１】
施錠装置を具備するシューズロッカーが設置された施設において用いられ、施設への入場時に貸与され、ＩＣチップが内蔵されたリストバンドと、
前記シューズロッカーに組込まれリストバンドのＩＣチップ情報を読取る第１のＩＣチップ情報読取装置が接続され、前記施錠装置を制御するコントローラと、
退場時にＩＣチップ情報を読取る第２のＩＣチップ情報読取装置と、
この第２のＩＣチップ情報読取装置からのＩＣチップ情報が入力される情報入力装置と、
この情報入力装置からのＩＣチップ情報及び前記コントローラからの利用中のシューズロッカー情報を管理する情報管理装置を有することを特徴とするシューズロッカー管理システム。
【請求項２】
請求項１に記載のシューズロッカー管理システムにおいて、前記第１のＩＣチップ情報読取装置は、第２のＩＣチップ情報読取装置よりも施設の内側に配置されたことを特徴とするシューズロッカー管理システム。
【請求項３】
請求項１または２に記載のシューズロッカー管理システムにおいて、前記情報管理装置に、入場時にＩＣチップ情報を読取る第３のＩＣチップ情報読取装置が接続されたことを特徴とするシューズロッカー管理システム。
【請求項４】
請求項１ないし３のいずれか１項に記載のシューズロッカー管理システムにおいて、前記情報管理装置は、利用料金情報収集部におけるＩＣチップ情報を読取るＩＣチップ情報読取装置及び利用料金情報を入力する情報入力装置が接続され、ＩＣチップ情報と利用料金情報との照合ができることを特徴とするシューズロッカー管理システム。
【請求項５】
請求項１ないし４のいずれか１項に記載のシューズロッカー管理システムにおいて、前記第２のＩＣチップ読取装置で読取ったＩＣチップ情報と利用料金情報を集計し料金精算の完了情報を情報管理装置からシューズロッカーに組込まれ、施錠装置を制御するコントローラに送信することを特徴とするシューズロッカー管理システム。
【請求項６】
請求項１ないし５のいずれか１項に記載のシューズロッカー管理システムにおいて、前記第１のＩＣチップ情報読取装置から送信されたＩＣチップ情報により、シューズロッカーの使用状況を管理することを特徴とするシューズロッカー管理システム。
【請求項７】
請求項１ないし６のいずれか１項に記載のシューズロッカー管理システムにおいて、前記情報入力装置から入力された情報により、情報管理装置を介して、施錠装置の施解錠制御を可能にしたことを特徴とするシューズロッカー管理システム。
【請求項８】
請求項１ないし７のいずれか１項に記載のシューズロッカー管理システムにおいて、前記施錠装置は電気信号により施解錠制御されることを特徴とするシューズロッカー管理システム。
【請求項９】
請求項１ないし８のいずれか１項に記載のシューズロッカー管理システムにおいて、前記シューズロッカーに、操作パネルが組込まれたことを特徴とするシューズロッカー管理システム。
【請求項１０】
施錠装置を具備するシューズロッカー及び脱衣ロッカーが設置された施設において用いられ、施設への入場時に貸与されるＩＣチップが内蔵されたリストバンドと、前記シューズロッカー及び脱衣ロッカーに組込まれリストバンドのＩＣチップ情報を読み書きするＩＣチップ情報読書装置が接続され、前記施錠装置を制御するコントローラと、施設フロントに設置され入退場時にＩＣチップ情報を読み書きする機能を備えた情報管理装置を有することを特徴とするシューズロッカー及び脱衣ロッカー管理システム。
【請求項１１】
請求項１０に記載のシューズロッカー及び脱衣ロッカー管理システムにおいて、前記ＩＣチップはＩＣチップ情報を書込むことができることを特徴とするシューズロッカー及び脱衣ロッカー管理システム。
【請求項１２】
諸求項１０または１１に記載のシューズロッカー及び脱衣ロッカー管理システムにおいて、前記ＩＣチップはＩＣチップ情報に加え利用料金の精算完了情報を書込むことができることを特徴とするシューズロッカー及び脱衣ロッカー管理システム。
【請求項１３】
請求項１０ないし１２のいずれか１項に記載のシューズロッカー及び脱衣ロッカー管理システムにおいて、前記ＩＣチップはＩＣチップ情報に加えシューズロッカー及び脱衣ロッカーの固有番号情報を書込むことができることを特徴とするシューズロッカー及び脱衣ロッカー管理システム。
【請求項１４】
請求項１０、１２ないし１３のいずれか１項に記載のシューズロッカー及び脱衣ロッカー管理システムにおいて、前記シューズロッカーは前記ＩＣチップ読書装置を介し、前記固有番号情報及び利用料金の精算完了情報を読出し前記施錠装置を制御するコントローラで情報の正誤を判断することを特徴とするシューズロッカー及び脱衣ロッカー管理システム。
【請求項１５】
請求項１０に記載のシューズロッカー及び脱衣ロッカー管理システムにおいて、前記リストバンドはシューズロッカーに具備された施錠装置に着脱自在に取付けられることを特徴とするシューズロッカー及び脱衣ロッカー管理システム。
【請求項１６】
請求項１０ないし１３のいずれか１項に記載のシューズロッカー及び脱衣ロッカー管理システムにおいて、前記脱衣ロッカーは前記ＩＣチップ読書装置を介し、前記固有番号情報の書込みあるいは削除することができ、前記施錠装置を制御するコントローラで固有番号情報の正誤を判断することを特徴とするシューズロッカー及び脱衣ロッカー管理システム。
【請求項１７】
請求項１０、１４ないし１６のいずれか１項に記載のシューズロッカー及び脱衣ロッカー管理システムにおいて、前記施錠装置はコントローラからの電気信号により施解錠されることを特徴とするシューズロッカー及び脱衣ロッカー管理システム。
【請求項１８】
請求項１０、１１、１３ないし１４のいずれか１項に記載のシューズロッカー及び脱衣ロッカー管理システムにおいて、前記情報管理装置は前記シューズロッカーの固有番号情報とＩＣチップ情報を管理することを特徴とするシューズロッカー及び脱衣ロッカー管理システム。
【発明の詳細な説明】
【技術分野】
【０００１】
本発明はシューズロッカー管理システム、シューズロッカー及び脱衣ロッカー管理システムに係わり、特に利用者が持つＩＣチップ内蔵のリストバンド用いて、シューズロッカーの扉の解施錠、料金の精算を行えるようにしたシューズロッカー管理システム、シューズロッカー及び脱衣ロッカー管理システムに関する。
【背景技術】
【０００２】
従来、温浴施設、フィットネスクラブ、アミューズメント施設その他遊戯施設において、シューズロッカーにシューズを保管させ、そのシューズロッカーの鍵をフロントに預ける代わりに、リストバンドを貸与し、施設の利用後、退場時にリストバンドとシューズロッカーの鍵を交換している。
【０００３】
このような施設内の利用料金は、入場時に徴収する場合と、退場時に徴収する場合と、入場時に一部利用料金を徴収しその後に利用した施設の料金を退場時に徴収し精算する場合がある。従来の施設では、入場者が不正の目的で、入場時に２ヵ所のシューズロッカーの鍵を取り、１本を施設管理者に預け、退場時にもう１本の鍵を用いてシューズロッカーから入場時に預けたシューズを取出し、利用料金を支払わずに不正退場してしまう場合、あるいは、シューズロッカーの鍵を施設管理者が預かるため、その保管管理が面倒であるという欠点があった。
【０００４】
なお、特許文献１には、利用者が携帯する非接触記憶媒体を用いてロッカーの解錠、ショップでの支払い、料金精算を行う娯楽施設管理システムが提案されているが、このシステムは退場時に利用者にとって不可欠なロッカーの解錠と料金精算が関連付けされていないので、利用料金を支払わずに不正退場してしまうことなくすことはできない。
【０００５】
また、上記のような施設において、シューズロッカー及び脱衣ロッカーが設置されている場合には、シューズロッカーにシューズを保管させ、そのシューズロッカーの鍵をフロントに預け、その代わりに脱衣ロッカーの鍵の付いたリストバンドを貸与し、施設内を利用させ退場時にそのリストバンドとシューズロッカーの鍵を交換している。このような管理方法では、シューズロッカー及び脱衣ロッカーの２種類の鍵を管理する必要があり、施設管理者の保管管理が面倒であるという欠点があった。
【０００６】
なお、特許文献２には、ロッカーキーに電磁波、超音波等のキー信号を用いたロッカー管理システムが提案されているが、このシステムでは下足ロッカーキーと更衣ロッカーキーをフロントで交換する従来の仕組みにロッカーキー信号を検出する機能を有するゲートを設置し利用看の不正防止を目的としたシステムであり、ロッカーキー１種類で管理することができない。
【特許文献１】特開平３−２０２９９７号公報（第２頁下段左欄第１８行〜同下段右欄第１０行、図６、図７（Ａ）〜（Ｃ））
【特許文献２】特開平８−２４００４７号公報（段落「００１１」、図１）
【発明の開示】
【発明が解決しようとする課題】
【０００７】
本発明は上述した事情を考慮してなされたもので、利用料金の確実な徴収と保管管理に要する施設管理者の手間を省き、円滑な施設運用を可能にするシューズロッカー管理システム、シューズロッカー及び脱衣ロッカー管理システムを提供することを目的とする。
【課題を解決するための手段】
【０００８】
上記目的を達成するため、本発明の１つの態様によれば、施錠装置を具備するシューズロッカーが設置された施設において用いられ、施設への入場時に貸与され、ＩＣチップが内蔵されたリストバンドと、前記シューズロッカーに組込まれリストバンドのＩＣチップ情報を読取る第１のＩＣチップ情報読取装置が接続され、前記施錠装置を制御するコントローラと、退場時にＩＣチップ情報を読取る第２のＩＣチップ情報読取装置と、この第２のＩＣチップ情報読取装置からのＩＣチップ情報が入力される情報入力装置と、この情報入力装置からのＩＣチップ情報及び前記コントローラからの利用中のシューズロッカー情報を管理する情報管理装置を有することを特徴とするシューズロッカー管理システムが提供される。これにより、利用料金の確実な徴収と保管管理に要する施設管理者の手間を省き、円滑な施設運用を可能するシューズロッカー管理システムが実現され、特に支払い料金精算部を兼ねたリストバンド回収部が、シューズロッカーよりもより施設の内側に配置されていても、料金の精算が完了しないとロッカーからシューズを取り出せないので、料金未精算での退場を効果的に防止できる。
【０００９】
好適な一例では、第２のＩＣチップ情報読取装置よりも施設の内側に配置される。これにより、料金未精算での退場を効果的に防止できる。
【００１０】
また、他の好適な一例では、前記情報管理装置に、入場時にＩＣチップ情報を読取る第３のＩＣチップ情報読取装置が接続される。
【００１１】
また、他の好適な一例では、前記情報管理装置は、利用料金情報収集部におけるＩＣチップ情報を読取るＩＣチップ情報読取装置及び利用料金情報を入力する情報入力装置が接続され、ＩＣチップ情報と利用料金情報との照合ができる。
【００１２】
また、他の好適な一例では、前記第２のＩＣチップ読取装置で読取ったＩＣチップ情報と利用料金情報を集計し料金精算の完了情報を情報管理装置からシューズロッカーに組込まれ、施錠装置を制御するコントローラに送信する。
【００１３】
また、他の好適な一例では、前記第１のＩＣチップ情報読取装置から送信されたＩＣチップ情報により、シューズロッカーの使用状況を管理する。
【００１４】
また、他の好適な一例では、前記情報入力装置から入力された情報により、情報管理装置を介して、施錠装置の施解錠制御を可能にする。
【００１５】
また、他の好適な一例では、前記施錠装置は電気信号により施解錠制御される。
【００１６】
また、他の好適な一例では、前記シューズロッカーに、操作パネルが組込まれる。
【００１７】
本発明の他の態様によれば、施錠装置を具備するシューズロッカー及び脱衣ロッカーが設置された施設において用いられ、施設への入場時に貸与されるＩＣチップが内蔵されたリストバンドと、前記シューズロッカー及び脱衣ロッカーに組込まれリストバンドのＩＣチップ情報を読み書きするＩＣチップ情報読書装置が接続され、前記施錠装置を制御するコントローラと、施設フロントに設置され入退場時にＩＣチップ情報を読み書きする機能を備えた情報管理装置を有することを特徴とするシューズロッカー及び脱衣ロッカー管理システムが提供される。これにより、リストバンドの保管管理の手間が省け、円滑な施設運用を可能にするシューズロッカー及び脱衣ロッカー管理システムが実現される。
【００１８】
好適な一例では、前記ＩＣチップはＩＣチップ情報を書込むことができる。
【００１９】
また、他の好適な一例では、前記ＩＣチップはＩＣチップ情報に加え利用料金の精算完了情報を書込むことができる。
【００２０】
また、他の好適な一例では、前記ＩＣチップはＩＣチップ情報に加えシューズロッカー及び脱衣ロッカ一の固有番号情報を書込むことができる。
【００２１】
また、他の好適な一例では、前記シューズロッカーは前記ＩＣチップ読書装置を介し、前記固有番号情報及び利用料金の精算完了情報を読出し前記施錠装置を制御するコントローラで情報の正誤を判断する。
【００２２】
また、他の好適な一例では、前記リストバンドはシューズロッカーに具備された施錠装置に着脱自在に取付けられる。
【００２３】
また、他の好適な一例では、前記脱衣ロッカーは前記ＩＣチップ読書装置を介し、前記固有番号情報の書込みあるいは削除することができ、前記施錠装置を制御するコントローラで固有番号情報の正誤を判断する。
【００２４】
また、他の好適な一例では、前記施錠装置はコントローラからの電気信号により施解錠される。
【００２５】
また、他の好適な一例では、前記情報管理装置は前記シューズロッカーの固有番号情報とＩＣチップ情報を管理する。
【発明の効果】
【００２６】
本発明に係わるシューズロッカー管理システムによれば、利用料金の確実な徴収と保管管理に要する施設管理者の手間を省き、円滑な施設運用を可能にするシューズロッカー管理システムを提供することができる。
【００２７】
また、本発明に係わるシューズロッカー及び脱衣ロッカー管理システムによれば、リストバンドの保管管理の手間が省け、円滑な施設運用を可能にするシューズロッカー及び脱衣ロッカー管理システムを提供することができる。
【発明を実施するための最良の形態】
【００２８】
以下、本発明に係わるシューズロッカー管理システムの第１実施形態について、添付図面を参照して説明する。
【００２９】
図１は本発明に係わるシューズロッカー管理システムの第１実施形態の概念図、図２は本システムに用いられるリストバンドの概念図である。
【００３０】
図１及び図２に示すように、本第１実施形態のシューズロッカー管理システム１は、個別ロッカー２ａ毎に施錠機構２ｂを備えたシューズロッカー２が設置された施設への入場時に貸与され、ＩＣチップ３ａを内蔵したリストバンド３と、シューズロッカー２に組込まれ、ＩＤ情報を主体とするＩＣチップ情報（以下、単にチップ情報という。）を読取る第１のＩＣチップ情報読取装置４と、退場時にチップ情報を読取る第２のＩＣチップ情報読取装置５と、この第２のＩＣチップ情報読取装置５からのチップ情報が入力される情報入力装置６と、この情報入力装置６からのチップ情報と前記第１のＩＣチップ情報読取装置４から使用中のシューズロッカー情報を管理する情報管理装置７を有している。
【００３１】
図３に示すように、シューズロッカー２に組込まれた第１のＩＣチップ情報読取装置４は、読取部４ａと制御部４ｂから構成され、この制御部４ｂはシューズロッカー１に設置された上位コントローラ２ｃを介して情報管理装置７に接続され、また、制御部４ｂには上位コントローラ２ｃ及びシューズロッカー１に設けられた施錠コントローラ２ｂ１を介して電気信号により開閉制御される施錠装置２ｂが接続され、さらに、施錠コントローラ２ｂ１には、施錠装置２ｂを開閉制御するための入力を行う操作パネル２ｄが接続されている。施錠装置２ｂが電気信号により制御されるので、遠隔からの解施錠制御が行える。また、操作パネル２ｄがシューズロッカー１に設けられることにより、利用者は容易にロッカー番号を入力でき、さらに、空きロッカー番号などを表示し利用者に知らせることができる。
【００３２】
リストバンド３のＩＣチップ３ａのチップ情報は、読取部４ａで読取られ、制御部４ｂに送信され、さらに、上位コントローラ２ｃに送信される。
【００３３】
この上位コントローラ２ｃは、このように制御部４ｂからの情報受信が可能であるとともに、情報管理装置７、施錠コントローラ２ｂ１と情報の送受信ができるようになっている。施錠コントローラ２ｂ１は上位コントローラ２ｃ、操作パネル２ｄ、施錠装置２ｂと信号の送受信が可能になっており、操作パネル２ｄは施錠コントローラ２ｂ１からの情報を表示し、利用者に知らせることができるようになっている。また、操作パネル２ｄは、利用者の操作により情報の入力ができ、その情報は施錠コントローラ２ｂ１に送信でき、施錠装置２ｂは施錠コントローラ２ｂ１との間で信号の送受信ができるようになっている。第１のＩＣチップ情報読取装置４は、保管したシューズロッカー番号とチップ情報を、上位コントローラ２ｃを介して情報管理装置７に記憶し管理するようになっている。なお、上位コントローラは、制御部、施錠コントローラと一体的にシューズロッカーに設けられてもよく、また、情報管理装置と一体的に設けられていてもよい。
【００３４】
施錠装置２ｂは上位コントローラ２ｃ、施錠コントローラ２ｂ１からの信号により、シューズロッカー２の施解錠を行うことができシューズを保管が可能となり、また、施錠装置２ｂは鍵を鍵穴に差込み、施解錠することもできるようになっている。
【００３５】
また、施設出口は、図８に示すように、シューズロッカー２よりもより施設の内側に配置され、この出口近傍には、図１に示すように、支払い料金精算部を兼ねたリストバンド回収部Ｃが設けられており、このリストバンド回収部Ｃには、第１のＩＣチップ情報読取装置４と同様の構成をなす第２のＩＣチップ情報読取装置５と、この第２のＩＣチップ情報読取装置５からのチップ情報が入力され表示部６ａが設けられた情報入力装置６及びこの情報入力装置６に接続されたプリンタ６ｂが設置されている。従って、リストバンド３のチップ情報は、第２のＩＣチップ情報読取装置５で読取られ、情報入力装置６を介して情報管理装置７に送信され、また、情報入力装置６は情報管理装置７から送信されてくる料金精算金額等を表示部６ａに表示し、プリンタ６ｂに印字するようになっている。
【００３６】
また、施設入口近傍には、必要に応じて、図１に示すように、リストバンド利用開始部Ａが設けられており、このリストバンド利用開始部Ａには、第２のＩＣチップ情報読取装置５と同様に第３のＩＣチップ情報読取装置８、表示部９ａが設けられた情報入力装置９が設置されており、入場時に貸与されたリストバンド３を第３のＩＣチップ情報読取装置８にかざすことで、チップ情報が読取られ、情報管理装置７に記憶されるようになっている。これにより、入場時に、迅速かつ正確にＩＣチップ情報を情報管理装置７に記憶させることができる。
【００３７】
さらに、施設内には、必要に応じて、図１に示すように、随所にレストラン、別料金のアトラクション会場等に利用料金情報収集部Ｂが設置され、この利用料金情報収集部Ｂには、第３のＩＣチップ情報読取装置８と同様に第４のＩＣチップ情報読取装置１０、情報入力装置１１が設置されており、リストバンド３を第４のＩＣチップ情報読取装置１０にかざすことで、チップ情報が読取られ、情報管理装置７に記憶されるようになっている。さらに、他の利用料金情報収集部Ｂｎには、同様に第ｎのＩＣチップ情報読取装置１０ｎ、情報入力装置１１ｎが設置されている。
【００３８】
上記のように本実施形態のシューズロッカー管理システムは、入場時に利用者が空いているシューズロッカー番号を確認し、シューズロッカーに組込まれたタッチパネルにシューズロッカー番号を入力し、リストバンドをかざすことでシューズの管理ができる機能を備える。これにより、容易かつ確実にシューズの保管管理が行える。また、利用料金が発生する場所に設置したＩＣチップ読取装置が設けられた情報入力装置にＩＣチップを内蔵したリストバンドをかざすことでチップ情報と利用料金が情報管理装置に送信され、情報管理装置でチップ情報に利用料金を紐付け利用料金の集計加算を行う機能を備える。これにより、利用料金の確実な徴収が行える。さらに、利用料金の徴収やリストバンドの利用開始部に設置したＩＣチップ読取装置が設けられた情報入力装置にリストバンドをかざすことでチップ情報が情報管理装置に送信され情報管理装置で管理しているチップ情報と一致するチップ情報の集計された利用料金を情報入力装置に表示する機能を備える。これにより、利用料金入力が容易かつ正確に行えるとともに利用料金の確実な徴収が行える。また、利用料金の徴収後、シューズロッカーを解錠させる機能を備える。これにより、利用料金の確実な徴収とシューズの保管管理を容易かつ正確に行える。
【００３９】
次に本第１実施形態のシューズロッカー管理システムの働きについて、図４〜図７に示すシステムフローチャートに沿って説明する。
【００４０】
図１及び図８の利用者の動線に示すように、入場時にＩＣチップ３ａに内蔵されたリストバンド３が貸与された利用者は、リストバンド利用開始部Ａであるリストバンド利用開始登録フロントへ移動し（Ｓ１）、リストバンド３を施設管理者（従業員）に渡し、施設管理者はリストバンド３を第３のＩＣチップ情報読取装置８にかざすことで（Ｓ２）、チップ情報が読取られ（Ｓ３）、このチップ情報がＩＣチップ情報読取装置８から情報入力装置９に送信され（Ｓ４）、さらに、情報入力装置９から情報管理装置７に送信され（Ｓ５）、当該利用者のＩＤ番号に対応して設けられる記憶テーブルに記憶することで情報管理装置７に記憶される（Ｓ６）。この時点で入場料も記憶テーブルに記憶される。
【００４１】
利用者は施設管理者からリストバンド３を受取り（Ｓ７）、しかる後、シューズロッカー２に移動し（Ｓ８）、リストバンド３を図３に示すようなＩＣチップ読取装置４の読取部４ａにかざす（Ｓ９）。
【００４２】
さらに、シューズ保管動作について、図５に示すフローチャートに沿って、詳細に説明する。
【００４３】
読取部４ａはチップ情報を読取り（Ｓ９１）、読取部４ａはチップ情報を制御部４ｂに送信し（Ｓ９２）、さらに、制御部４ｂはチップ情報を上位コントローラ２ｃに送信する（Ｓ９３）。上位コントローラ２ｃは、施錠コントローラ２ｂ１に空きロッカー検索を指示し、チップ情報を送信する（Ｓ９４）。施錠コントローラ２ｂ１は空きロッカーを検索し（Ｓ９５）、施錠コントローラ２ｂ１は空きロッカー決定する（Ｓ９６）。施錠コントローラ２ｂ１はロッカー番号を操作パネル２ｄに送信し、（Ｓ９７）、操作パネル２ｄがこの番号を表示する（Ｓ９８）。また、施錠コントローラ２ｂ１はＳ９７のロッカー番号の送信とともに、ロッカーの解錠指示を施錠装置２ｂに送信し（Ｓ９９）、受信した施錠装置２ｂは解錠する（Ｓ１００）。利用者は扉を開けてシューズを収納し、扉を閉める（Ｓ１０１）。施錠装置２ｂは施錠状態になり（Ｓ１０２）、施錠装置２ｂは施錠コントローラ２ｂ１に保管完了情報を送信する（Ｓ１０３）。施錠コントローラ２ｂ１はロッカー番号とチップ情報を上位コントローラ２ｃに送信し（Ｓ１０４）、これらを受信した上位コントローラ２ｃは、さらに情報管理装置７に送信し（Ｓ１０５）、受信した情報管理装置７はロッカー番号とチップ情報をＩＤ番号に対応して設けられる記憶テーブルに記憶し登録する（Ｓ１０）。
【００４４】
図４に示すように、一方、上記Ｓ１０１においてシューズの収納を完了した利用者は、図８に示すように施設内に移動し（Ｓ１１）、別途料金を必要とするアトラクション会場に入場する（Ｓ１２）。
【００４５】
さらに、利用料金の集計フローについて、図６に示すチャートに沿って、詳細に説明する。
【００４６】
利用者は利用料金情報収集部Ｂに行き、利用者はリストバンド３を第４のＩＣチップ情報読取装置１０にかざし（Ｓ１２１）、この情報入力装置１１がチップ情報を読取り（Ｓ１２２）、施設管理者は利用金額を情報入力装置１１に入力する（Ｓ１２３）。情報入力装置１１ｎはチップ情報と利用料金を情報管理装置７に送信し（Ｓ１２４）、情報管理装置７は利用料金を加算し記憶する（Ｓ１２５）。
【００４７】
利用者は施設内の他のアトラクション会場への入場、レストランの利用、お土産の購入等を行った場合にも、上記Ｓ１２１〜Ｓ１２５のステップと同様に情報管理装置７はその料金を全て加算し記憶する。
【００４８】
利用者が施設の利用を終えて退場することになるが、利用者は施設内の利用料金情報収集部Ｂにおける利用料金を支払い、精算すべく支払い料金精算部を兼ねたリストバンド回収部Ｃに行く（Ｓ１３）。
【００４９】
利用料金の料金精算フローについて、図７に示すチャートに沿って、詳細に説明する。
【００５０】
利用者はリストバンド回収部Ｃで、施設管理者にリストバンド３を渡し（Ｓ（Ｓ１３１）、施設管理者はリストバンド３を第２のＩＣチップ情報読取装置５にかざし（Ｓ１３２）、この第２のＩＣチップ情報読取装置５がチップ情報を読取り（Ｓ１３３）、この情報を受信した第２の情報入力装置６はさらに、情報管理装置７に送信し（Ｓ１３４）し、情報管理装置７はこれを受信する（Ｓ１３５）。チップ情報を受信した情報管理装置７は、リストバンド利用開始部Ａにおける入場料及び利用料金情報収集部Ｂにおける利用料金を含む利用料金情報を第２の情報入力装置６に送信し（Ｓ１３６）、第２の情報入力装置６はこれを受信し（Ｓ１３７）、表示部６ａに利用料金を表示する（Ｓ１３８）。
【００５１】
この表示に基づき、施設管理者は利用者から利用料金を徴収し（Ｓ１３９）、第２の情報入力装置６に精算完了を入力する。第２の情報入力装置６は精算完了情報とチップ情報を情報管理装置７に送信し（Ｓ１４０）、情報管理装置７はこれを受信し（Ｓ１４１）、施錠装置２ｂを解錠するための暗証番号を設定し（Ｓ１４２）、さらに、ロッカー番号と暗証番号を第２の情報入力装置６及び上位コントローラ２ｃに送信し（Ｓ１４３）、第２の情報入力装置６及び上位コントローラ２ｃはこれを受信する（Ｓ１４４）。プリンタ６ｈは暗証番号、ロッカー番号及び利用料金をシートに印刷し（Ｓ１４５）、施設管理者は利用者に渡す（Ｓ１４５）。
【００５２】
図４に示すように、暗証番号、ロッカー番号及び利用料金が印刷されたシートを受取った利用者は、リストバンド回収部Ｃよりもより施設の外側に配置されたロッカー２のところに行く（Ｓ１４）。
【００５３】
利用者はロッカー番号、暗証番号を操作パネル２ｄに入力し（Ｓ１５）、これを受信した上位コントローラ４ｃは、これらの情報と情報管理装置２ａからの情報が一致するか否か判定する（Ｓ１６）。一致する場合には、上位コントローラ４ｃは施錠コントローラ４ｄを介して施錠装置２ａを解錠する（Ｓ１７）。利用者は解錠されたロッカーからシューズを取り出し扉を閉め（Ｓ１８）、利用者はシューズを靴を履き、退場する（Ｓ１９）。
【００５４】
上記Ｓ１６において、判定が不一致の場合には、利用者が入力をやり直し、あるいは施設管理者に申し出て適切に処理し、退場する（Ｓ２０）。
【００５５】
上記のように本第１実施形態のシューズロッカー管理システムによれば、利用料金の確実な徴収と保管管理に要する施設管理者の手間を省き、円滑な施設運用が可能となる。特に支払い料金精算部を兼ねたリストバンド回収部が、シューズロッカーよりもより施設の内側に配置されていても、料金の精算が完了しないとロッカーからシューズを取り出せないので、料金未精算での退場を効果的に防止できる。
【００５６】
また、本発明に係わるシューズロッカー管理システムの第２実施形態について説明する。
【００５７】
上記第１実施形態はシューズロッカーがリストバンド回収部よりも施設のより外側に配置され、シューズロッカーを管理するのに対して、本第２実施形態はシューズロッカーがリストバンド回収部よりも施設の内側に配置される。
【００５８】
例えば、利用者の動線を示す図９及び図１０に示すように、本第２実施形態のシューズロッカー管理システム１は、施設出口が入口に近接して配置され、これに伴い、リストバンド回収部Ｃがリストバンド利用開始部Ａに近接して配置され、スタンドアローン状態、すなわち情報管理装置７に接続されていないシューズロッカー２がリストバンド回収部Ｃよりも施設の内側に配置されている。本第２実施形態のシューズロッカー管理システムは、シューズロッカーの読取装置にリストバンドをかざしシューズロッカーに保管したシューズを取出してからＩＣチップ読取装置が設けられた情報入力装置で利用料金を徴収する機能を備えるものである。この場合、シューズロッカーと情報管理システムは、情報の送受信は行わず、シューズロッカーにＩＣチップ情報とシューズロッカー番号を紐付けし管理する機能を備える。なお、リストバンド利用開始部Ａ、利用料金情報収集部Ｂ及びリストバンド回収部Ｃには、第１実施形態と同様に図１及び図３に示すような読取装置、制御装置、施錠装置等が設けられている。
【００５９】
従って、図９及び図１０に示すように、入場時にＩＣチップに内蔵されたリストバンドが貸与された利用者は、図４の第１実施形態のＳ１〜Ｓ１２、Ｓ９１〜Ｓ１０２及びＳ１２１〜Ｓ１２５と同様のステップ後、退場するために、リストバンド回収部ＣＡよりも施設の内側に配置されたシューズロッカー２に行く（Ｓ２１）。
【００６０】
図３に示すように、リストバンド３を読取部４ａにかざし（Ｓ２２）、読取部４ａはチップ情報を読取り（Ｓ２３）、読取部４ａはチップ情報を制御物を介して上位コントローラ２ｃに送信し、これを受信した上位コントローラ２ｃは、施錠コントローラ２ｂ１にチップ情報の検索を指示し、施錠コントローラ２ｂ１はチップ情報を検索し（Ｓ２４）、施錠コントローラ２ｂ１はチップ情報が一致するか否かを判定する（Ｓ２５）。チップ情報と一致するロッカー番号がない場合には、操作パネル２Ａｄにエラー表示する（Ｓ２６）。
【００６１】
チップ情報と一致するロッカー番号がある場合には、施錠コントローラ２ｂ１は、ロッカーの解錠指示を施錠装置２ｂに送信し、受信した施錠装置２ｂは解錠する（Ｓ２７）。利用者を扉を開けてシューズを収納し、扉を閉める（Ｓ２８）。利用者はリストバンド回収部Ｃに行き（Ｓ２９）、図７のＳ１３１〜Ｓ１３９と同様の精算ステップの後、利用者は退場する（Ｓ３０）。
【００６２】
上記のように本第２実施形態のシューズロッカー管理システムによれば、利用料金の確実な徴収と保管管理に要する施設管理者の手間を省き、円滑な施設運用が可能となる。特に支払い料金精算部を兼ねたリストバンド回収部が、シューズロッカーよりもより施設の外側に配置されているので、料金未精算での退場を効果的に防止できる。
【００６３】
なお、上記第１実施形態及び第２実施形態において、施設入口にリストバンド利用開始部、出口あるいはその近傍にリストバンド回収部を配置したが、施設の規模によっては、リストバンド利用開始部とリストバンド回収部を兼ねさせることも可能であり、本発明に係わるシューズロッカー管理システムは、必ずしも入場時にＩＣチップ情報を読取る第３のＩＣチップ情報読取装置を設ける必要はない。
【００６４】
また、本発明に係わるシューズロッカー管理システムの第３実施形態について説明する。
【００６５】
上記第１実施形態はシューズロッカーを管理するのに対して、本第３実施形態はシューズロッカー及び脱衣ロッカーを管理する管理システムである。
【００６６】
例えば、図１２に示すように、本第３実施形態のシューズロッカー及び脱衣ロッカー管理システム３１は、施設入場時に貸与されるＩＣチップ３３ａを内蔵したリストバンド３３と、個別のシューズロッカー３２ａ毎にＩＣチップ情報読書装置３２ｂ及び施錠装置３２ｃを備えたシューズロッカー３２と、ＩＣチップ情報を読み書きする機能を有する読書機３４ａはＩＣチップ情報を管理する情報管理装置３４に接続され、また個別の脱衣ロッカー３５ａ毎にＩＣチップ情報読書装置３５ｂ及び施錠装置３５ｃを備えたシューズロッカー３５を有している。
【００６７】
上記シューズロッカー及び脱衣ロッカー管理システム３１において、入場時に利用者はリストバンド３３が着脱自在に取付られた個別のシューズロッカー３２ａに自分のシューズを入れ、個別のシューズロッカー３２に着脱自在に取付けられているリストバンド３３を個別のシューズロッカー３２から取外す。リストバンド３３はフロントに持込まれ、フロントに設けられた読書機３４ａでＩＣチップ３３ａに登録されたＩＣチップ情報、シューズロッカー３２の固有番号情報が読取情報管理装置３４に登録される。
【００６８】
情報管理装置３４にＩＣチップ情報、シューズロッカー３２の固有番号情報が登録された後、ＩＣチップ３３ａのシューズロッカー３２の固有番号情報は削除され、脱衣ロッカー３５の固有番号情報が書込める状態となる。
【００６９】
さらに利用者はリストバンド３３を空いている個別の脱衣ロッカー３５ａ毎に備えられたＩＣチップ情報読書装置３５ｂにかざすことでＩＣチップ３３ａには脱衣ロッカー３５ａの固有番号情報が登録され、個別の脱衣ロッカー３５ａにはＩＣチップ情報が登録される。これによりリストバンド３３のみでシューズロッカー３２と脱衣ロッカー３５の利用が可能となりリストバンド３３の保管管理の手間が省け、円滑な施設運用が行える。また、利用料金の徴収後、ＩＣチップ３３ａにはシューズロッカー３２の固有番号情報に加え利用料金の精算完了情報が登録され、この利用料金の精算完了情報により個別のシューズロッカー３２ａの解錠が可能となる機能を備える。
【００７０】
図１３に示すように、リストバンド３３はＩＣチップ３３ａを内蔵しており、さらにその側面には、リストバンド３３をシューズロッカー３２の施錠装置３２ｃに着脱自在に取付け可能にする取付部３３ｂが設けられている。リストバンド３３の取付けは、取付部３３ｂを個別のシューズロッカー３２の施錠装置３２ｃに設けられた取付溝部（図示せず）に差込むことで行われる。
【００７１】
図１４に示すように、シューズロッカー３２及び脱衣ロッカー３５に組み込まれたＩＣチップ情報読書装置３２ｂ、３５ｂは、読書部３２ｄ、３５ｄとコントローラ３２ｅ、３５ｅから構成され、読書部３２ｄ、３５ｄでＩＣチップ３３ａの情報を読み書きし、その情報はコントローラ３２ｅ、３５ｅにて判断される。
【００７２】
さらにコントローラ３２ｅ、３５ｅはシューズロッカー３２、脱衣ロッカー３５の施錠装置３２ｃ、３５ｃに接続され、施錠装置３２ｃはコントローラ３２ｅ、３５ｅからの電気信号により錠の施解錠を行う。
【００７３】
次に本第３実施形態のシューズロッカー及び脱衣ロッカー管理システムの働きについて、図１５〜図１８に示すシステムフローチャートに沿って説明する。
【００７４】
利用者は自分のシューズを空いている個別のシューズロッカー３２ａに入れ、施設入場時に貸与されるＩＣ３３ａを内蔵したリストバンド３３を個別のシューズロッカー３２ａの施錠装置３２ｃから取外し（Ｓ３１）、リストバンド３を持ってフロントヘ移動し（Ｓ３２）、係員にリストバンド３３を渡す（Ｓ３３）。
【００７５】
係員がリストバンド３３を読書機３４ａにかざすことで（Ｓ３４）、ＩＣチップ３３ａのＩＣチップ情報、シューズロッカー３２の固有番号情報が読取られ（Ｓ３５）、この情報は読書機３４ａから情報管理装置３４に送信され（Ｓ３６）、情報管理装置３４に登録される（Ｓ３７）。
【００７６】
情報管理装置３４に登録された後、シューズロッカー３２の固有番号情報の削除指示が情報管理装置３４から読書機３４ａに送信され（Ｓ３８）、読書機３４ａはＩＣチップ３４ａに登録されているシューズロッカー３２の固有番号情報を削除する（Ｓ３９）。
【００７７】
係員は、シューズロッカー３２の固有番号情報が削除されたリストバンド３３を利用者に返却し（Ｓ４０）、利用者はリストバンド３３を持って脱衣ロッカー３５へ移動する（Ｓ４１）。
【００７８】
利用者は空いている個別の脱衣ロッカー３５ａで着替えをし（Ｓ４２）、個別の脱衣ロッカー３５ａＩＣチップ情報読書装置３５ｂの読書部３５ｄにリストバンド３３をかざす（Ｓ４３）。
【００７９】
読書部３５ｄはＩＣチップ３３ａのＩＣチップ情報を読取り（Ｓ４４）、この情報は読書部３５ｄからコントローラ３５ｅに送信し（Ｓ４５）、コントローラ３５ｅはこの情報を登録する（Ｓ１６）。
【００８０】
コントローラ３５ｅに登録された後、コントローラ３５ｅは読書部３５ｄに脱衣ロッカー３５の固有番号情報を送信する（Ｓ４７）。
【００８１】
読書部３５ｄは脱衣ロッカー３５の固有番号情報をＩＣチップ３５ａに登録する（Ｓ４８）。
【００８２】
さらに、コントローラ３５ｅは施錠装置３５ｅに施錠信号を送信し（Ｓ４９）、施錠装置３５ｃは施錠を行う（Ｓ５０）。
【００８３】
利用者は個別の脱衣ロッカー３５の施錠装置３５ｃが施錠したことをもって、リストバンド３３を持ち施設内へ移動する（Ｓ５１）。
【００８４】
利用者が施設内を利用した後、脱衣ロッカー３５ａに戻り自分が使用している個別の脱衣ロッカー３５ａに組込まれたＩＣチップ情報読書装置３５ｂの読書部３５ｄにリストバンド３３をかざす（Ｓ５２）。
【００８５】
読書部３５ｄはＩＣチップ３３ａのＩＣチップ情報、脱衣ロッカー３５の固有番号情報を読取り（Ｓ５３）、この情報は読書部３５ｄからコントローラ３５ｅに送信し（Ｓ５４）、コントローラ３５ｅはこの情報と登録されている情報が一致するか判断する（Ｓ２５）。
【００８６】
一致した場合は、コントローラ３５ｅは施錠装置３５ｃに解錠信号を送信し（Ｓ５６、Ｓ５７）、施錠装置３５ｃは解錠を行う（Ｓ５８）。
【００８７】
さらに、コントローラ３５ｅは登録しているＩＣチップ情報を削除し（Ｓ５９）、またコントローラ３５ｅは読書部３５ｅに脱衣ロッカー３５の固有番号情報の削除指示を送信し（Ｓ６０）、読書部３５ｄはＩＣチップ３３ａに登録されている脱衣ロッカー３５の固有番号情報を削除する（Ｓ６１）。
【００８８】
利用者は着替えをし、リストバンド３３を持ってフロントヘ移動し（Ｓ６２）、係員にリストバンド３３を渡す（Ｓ６３）。
【００８９】
係員がリストバンド３３を読書機３４ａにかざすことで（Ｓ６４）、ＩＣチップ３３ａのＩＣチップ情報が読取られ（Ｓ６５）、この情報は読書機３４ａから情報管理装置３４に送信され（Ｓ６６）、情報管理装置３４に登録されているＩＣチップ情報からシューズロッカー３２の固有番号情報を検索し（Ｓ６７）、情報管理装置３４はシューズロッカー３２の固有番号情報及び利用料金の精算完了情報を読書機３４ａに送信し（Ｓ６８）、読書機３４ａはＩＣチップ３３ａにシューズロッカー３２の固有番号情報及び利用料金の精算完了情報を登録する（Ｓ６９）。
【００９０】
係員は、シューズロッカー３２の固有番号情報及び利用料金の精算完了情報が登録されたリストバンド３３を利用者に返却し（Ｓ７０）、利用者はリストバンド３３を持ってシューズロッカー３２へ移動する（Ｓ７１）。
【００９１】
自分が使用している個別のシューズロッカー３２ａの施錠装置３２ｃにリストバンド３３を差込み、リストバンド３３を個別のシューズロッカー３２ａに保持させる（Ｓ４２）。
【００９２】
このとき、読書部３２ｄはＩＣチップ３３ａのＩＣチップ情報、シューズロッカー３２の固有番号情報、利用料金の精算完了情報を読取り（Ｓ７３）、この情報は読書部３２ｄからコントローラ３２ｅに送信し（Ｓ７４）、コントローラ３２ｅはこの情報と登録されているシューズロッカー３２の固有番号情報、ＩＣチップ情報が一致しかつ利用料金の精算完了情報があるか判断する（Ｓ７５）。
【００９３】
一致した場合は、コントローラ３２ｅは施錠装置３２ｃに解錠信号を送信し（Ｓ７６、Ｓ７７）、施錠装置３２ｃは解錠を行う（Ｓ７８）。
【００９４】
さらに、コントローラ３２ｅは読書部３２ｄに利用料金の精算完了情報の削除指示を送信し（Ｓ７９）、読書部３２ｄはＩＣチップ３３ａに登録されている利用料金の精算完了情報を削除する（Ｓ８０）。
【００９５】
利用者は個別のシューズロッカー３２ａから自分のシューズを取出し退場する（Ｓ８１）。
【００９６】
上記のように本第３実施形態のシューズロッカー及び脱衣ロッカー管理システムによれば、リストバンドの保管管理の手間を省き、円滑な施設運用を可能にすることができる。
【図面の簡単な説明】
【００９７】
【図１】本発明に係わるシューズロッカー管理システムの第１実施形態の概念図。
【図２】本発明に係わるシューズロッカー管理システムに用いられるリストバンドの概念図。
【図３】本発明に係わるシューズロッカー管理システムに用いられるシューズロッカーの施錠装置の制御概念図。
【図４】本発明に係わるシューズロッカー管理システムの第１実施形態のフローチャート。
【図５】本発明に係わるシューズロッカー管理システムの第１実施形態のフローチャート。
【図６】本発明に係わるシューズロッカー管理システムの第１実施形態のフローチャート。
【図７】本発明に係わるシューズロッカー管理システムの第１実施形態のフローチャート。
【図８】本発明に係わるシューズロッカー管理システムの第１実施形態における人の動線図。
【図９】本発明に係わるシューズロッカー管理システムの第２実施形態における人の動線図。
【図１０】本発明に係わるシューズロッカー管理システムの第２実施形態の概念図。
【図１１】本発明に係わるシューズロッカー管理システムの第２実施形態のフローチャート。
【図１２】本発明に係わるシューズロッカー及び脱衣ロッカー管理システムの第３実施形態の概念図。
【図１３】本発明に係わるシューズロッカー及び脱衣ロッカー管理システムの第３実施形態に用いられるリストバンドの概念図。
【図１４】本発明の第３実施形態に用いられるシューズロッカー及び脱衣ロッカーのＩＣチップ情報読書装置及び施錠装置の制御概念図。
【図１５】本発明に係わるシューズロッカー及び脱衣ロッカー管理システムの第３実施形態のフローチャート。
【図１６】本発明に係わるシューズロッカー及び脱衣ロッカー管理システムの第３実施形態のフローチャート。
【図１７】本発明に係わるシューズロッカー及び脱衣ロッカー管理システムの第３実施形態のフローチャート。
【図１８】本発明に係わるシューズロッカー及び脱衣ロッカー管理システムの第３実施形態のフローチャート。
【符号の説明】
【００９８】
１  シューズロッカー管理システム
２  シューズロッカー
２ａ  個別ロッカー
２ｂ  施錠機構
２ｂ１  施錠コントローラ２ｂ１
２ｃ  上位コントローラ
２ｄ  操作パネル
３  リストバンド
３ａ  ＩＣチップ
４  第１のＩＣチップ情報読取装置
４ａ  読取部
４ｂ  制御部
５  第２のＩＣチップ情報読取装置
６  情報入力装置
６ａ  表示部
６ｂ  プリンタ
７  情報管理装置
８  第３のＩＣチップ情報読取装置
９  情報入力装置
９ａ  表示部
１０  第４のＩＣチップ情報読取装置
１０ｎ  第ｎのＩＣチップ情報読取装置
１１  情報入力装置
１１ｎ  情報入力装置
Ａ  リストバンド利用開始部
Ｂ  利用料金情報収集部
Ｃ  リストバンド回収部
【図１】
2005155308.tif 000003
【図２】
2005155308.tif 000004
【図３】
2005155308.tif 000005
【図４】
2005155308.tif 000006
【図５】
2005155308.tif 000007
【図６】
2005155308.tif 000008
【図７】
2005155308.tif 000009
【図８】
2005155308.tif 000010
【図９】
2005155308.tif 000011
【図１０】
2005155308.tif 000012
【図１１】
2005155308.tif 000013
【図１２】
2005155308.tif 000014
【図１３】
2005155308.tif 000015
【図１４】
2005155308.tif 000016
【図１５】
2005155308.tif 000017
【図１６】
2005155308.tif 000018
【図１７】
2005155308.tif 000019
【図１８】
2005155308.tif 000020